(57)【要約】【課題】竿に重い洗濯物を掛ける等して過度の荷重がかけられた時に、取り付けられた天井が壊れるのを防ぐだけではなく、近くに人がいた場合でも怪我をする危険を少なくする。【解決手段】竿３は吊下紐２・２によって昇降可能に吊り下げられ、竿３の両端にはエンドピース５・５を取り付けてある。エンドピース５には、前端側の円筒内部に受具８を摺動可能に内蔵し、受具８のねじ部２６に移動具６が螺合する。移動具６には、取付具７が係合し、取付具７の取付部２３に吊下紐２を取り付けて、吊下紐２のその先にエンドピース５の中に位置するように減速具１０を取り付けてある。さらに、吊下紐２は、減速具１０の先に５０センチメートルから１００センチメートル程度の余長部３３を延長して残してあり、その余長部３３を竿３内に収納してある。【選択図】図２
2011083402.tif 000002
【特許請求の範囲】
【請求項１】
２本の吊下紐で吊り下げられた竿を有する吊掛装置において、それぞれ吊り下げられた吊下紐の先端部は、竿の両端に配設されたエンドピース内の取付具に取り付けられると共に、その先に減速具を取り付けて成り、減速具は、吊下紐の減速具より先にある余長部を残した位置に取り付けられ、吊下紐の余長部が抵抗を持って通過することができる構成とし、竿に過度の荷重がかけられた時、吊下紐が、取付具から外れて竿から導出し、減速具は、竿内部でエンドピース等の部品に当接して竿から突出せず、吊下紐の余長部が減速具を抵抗を持って通過することによって竿が減速されてゆっくりと落下するように構成したことを特徴とする吊掛装置。
【発明の詳細な説明】
【技術分野】
【０００１】
本発明は、２本の吊下紐で吊り下げられた竿を昇降し、その竿に洗濯物や衣類等を掛けたり、物干具を吊り下げたりして使用する吊掛装置に関するものである。
【背景技術】
【０００２】
従来、この種の吊掛装置として特許第３５２３５７４号発明が提案されているが、この従来例においては、竿に重い洗濯物を掛ける等して過度の荷重がかけられた時、取付具が壊れて外れ吊下紐が竿から抜け、取り付けられた天井が壊れるのを防ぐものである。
【先行技術文献】
【特許文献】
【０００３】
【特許文献１】特許第３５２３５７４号公報
【発明の概要】
【発明が解決しようとする課題】
【０００４】
上記従来例においては、取り付けられた天井が壊れるのを防ぐことはできるが、竿が洗濯物等と共に急激に落下し、近くに人がいた場合には大変危険であるという問題があり、本発明は、この問題を解決することを課題としている。
【課題を解決するための手段】
【０００５】
本発明は、上記の課題を解決するために、２本の吊下紐で吊り下げられた竿を有する吊掛装置において、それぞれ吊り下げられた吊下紐の先端部は、竿の両端に配設されたエンドピース内の取付具に取り付けられると共に、その先に減速具を取り付けて成り、減速具は、吊下紐の減速具より先にある余長部を残した位置に取り付けられ、吊下紐の余長部が抵抗を持って通過することができる構成とし、竿に過度の荷重がかけられた時、吊下紐が、取付具から外れて竿から導出し、減速具は、竿内部でエンドピース等の部品に当接して竿から突出せず、吊下紐の余長部が減速具を抵抗を持って通過することによって竿が減速されてゆっくりと落下するように構成したものである。
【発明の効果】
【０００６】
本発明は、上記のように構成されており、竿に重い洗濯物を掛ける等して過度の荷重がかけられた時には、吊下紐が、取付具から外れて竿から導出し、竿が減速されてゆっくりと落下することになり、取り付けられた天井や本装置の他の高価な部品が壊れるのを防ぐだけではなく、近くに人がいた場合でも怪我をする危険が少なくなるという効果がある。
【図面の簡単な説明】
【０００７】
【図１】使用状態を示す全体正面図である。
【図２】要部の拡大断面図である。
【図３】要部の分解斜視図である。
【図４】吊下紐を通した減速具の拡大斜視図である。
【図５】エンドピースの上下逆にした状態を示す斜視図である。
【図６】竿に過度の荷重がかかりばねが縮退して移動具及び取付具と共に受具が後退し、エンドピースの表示窓から受具の警告部が露出して警告している状態を示し、（Ａ）は要部の拡大断面図、（Ｂ）は要部の拡大正面図である。
【図７】取付具が壊れて吊下紐が取付具から外れた状態を示す要部の拡大断面図である。
【図８】図７の状態から、吊下紐が繰り出されて竿から抜けた状態を示す要部の拡大断面図ている。
【図９】移動具及び取付具を最も後方位置に調整した状態を示す要部の拡大断面図である。
【実施例１】
【０００８】
本体１は、その両端部から導出される吊下紐２・２を上下させる機構（図示しないが種々の機構が考えられる）が内蔵されており、一端部から吊り下げられている操作紐４を上下動操作することによって、吊下紐２・２を上下することができるようになっている。吊下紐２・２は、竿３の両端部を支持しており、竿３は吊下紐２・２によって昇降可能に吊り下げられている。以下、本明細書において前方あるいは前端とは、竿３の左側端側では左方向・左端であり、竿３の右側端側では右方向・右端であり、つまり竿３の長手方向の外側へ進出する方向（外方向）・外側を意味し、後方・後端とは、その逆方向で長手方向の内側へ進出する方向（内方向）・内側を意味している。
【０００９】
竿３の両端縁にはそれぞれ上部に切欠部１５・１５を設け、それぞれその後方側に嵌合孔１６・１６を設け、さらにそれぞれの後方側に導出孔３１・３１を設けた孔カバー１４・１４を取り付けてある。竿３の両端にはエンドピース５・５を取り付けてある。
【００１０】
エンドピース５は、略円筒形で、前端部が少し大径になっており、その大径部には、表裏に相対向するように表示窓１８・１８を穿設すると共に、後端縁の上部に後方に向かって突出する回止突起１９を設け、小径部の上部には、上方に突出する抜止突起２０を設けてある。この抜止突起２０は、下方に撓むことができると共に、弾性で上方に復元するようになっている。
【００１１】
また、エンドピース５の後端面には、中心に通過孔１２、その下部に退出孔３２をそれぞれ設け、さらにその後方部には、ローラー１１が回転自在に取り付けられ、その下に、後述する取付具７が壊れた時の代替となるスペア取付具１３が取り付けられている。さらにまた、エンドピース５は、後方下部が開口部１７になっており、前端側の円筒内部には受具８を摺動可能に内蔵してある。
【００１２】
受具８は、略円筒形でばね９により前方に付勢され、エンドピース５の外縁と略面一になる位置で抜け止めされ、ばね９に抗して後方に摺動できるようになっている。
【００１３】
また受具８は、内周面にはねじ部２６を刻設すると共に、相対向するように２条の回転止溝２７・２７を設けてあり、外面には、前端部表裏面に例えば赤色の警告部２５・２５を設けると共に、上面に凹溝状の逃部２８を設けてある。回転止溝２７・２７は、前端から後端にかけて水平に設けてある。受具８のねじ部２６には移動具６が螺合し、逃部２８は、エンドピース５の抜止突起２０が下方に撓むためのスペースとなる。
【００１４】
移動具６は、略円柱形で、外周面に受具８のねじ部２６に螺合するねじ部２１を刻設し、前端面にプラス溝の操作部２２を設けると共に、後端側には円形鍔状に突出し後述する取付具７が係合する係合突部２９を設けてあり、操作部２２をプラスドライバーで操作して回転させると、螺合しているねじ部２１及びねじ部２６により受具８の中を前後に移動するようになっている。
【００１５】
取付具７は、前端部に移動具６の係合突部２９に回動可能に係合する係合凹部３０を設けると共に、後端面に吊下紐２を取り付ける取付部２３を設け、さらに、外周には受具８の回転止溝２７・２７に対応する位置に回転止部２４・２４を設けてある。取付具７は、回転止部２４・２４が回転止溝２７・２７に摺動可能に係合すると共に、係合凹部３０が係合突部２９に回動可能に係合しているので、移動具６が回転しても回転はしないが、回転止溝２７・２７の範囲内を前後方向（長手方向）に移動具６と一緒に移動できるようになっている。
【００１６】
取付具７の取付部２３には吊下紐２が取り付けられるようになっており、吊下紐２のその先にはエンドピース５の中に位置するように減速具１０が取り付けられるようになっている。さらに、吊下紐２に減速具１０が取り付けられた状態では、減速具１０の先に５０センチメートルから１００センチメートル程度吊下紐２を延長して余らせて、その吊下紐２の部分を余長部３３とし、その余長部３３を竿３内に収納する。
【００１７】
減速具１０は、３箇所に円形の孔を開けた略三角形状の板で、図４に示すようにそれらの孔に吊下紐２を一面側でクロスするように通して吊下紐２に取り付けられており、吊下紐２は一定以上の力で引っ張られると減速具１０を通過することができるようになっている。なお、この減速具１０については、本実施例の他にも種々の構造が考えられ、吊下紐２が抵抗をもって通過できるものであればよい。
【００１８】
これらを組み立てるには、エンドピース５に受具８を開口部１７から入れて、エンドピース５の外縁と面一になる位置まで（この位置で抜け止めされる）前方に動かし、ばね９を縮めて受具８の後ろから入れる。本体１から吊り下げられている吊下紐２を、竿３の孔カバー１４の導出孔３１から入れて竿３端部から出し、エンドピース５（まだ竿３に取り付けられていない）の後端のローラー１１にかかるようにして通過孔１２から入れて、ばね９及び受具８の中を通してエンドピース５前端から取り出す。
【００１９】
そして、その取り出された吊下紐２の中間部を取付具７の取付部２３に取り付けて、さらにその先に減速具１０を前述のように取り付けて、さらにその先に前述のように５０センチメートル１００センチメートル程度の余長部３３を残しておく。その吊下紐２の先端をエンドピース５の先端側から入れて退出孔３２から外に取り出してから、取付具７を移動具６の後端に係合させ、取付具７の回転止部２４・２４を受具８の回転止溝２７・２７に係合させて押し込み、移動具６を受具８に螺合して取り付ける。また、エンドピース５にスペア取付具１３を所定位置に取り付ける。
【００２０】
最後に、上記のように部品を取り付けられたこのエンドピース５を竿３の一端部から挿入すると、抜止突起２０が下方に撓み弾性力で上方に復元して竿３の嵌合孔１６に嵌合すると共に、回止突起１９が竿３の切欠部１５に係合し、抜け止め及び回り止めされ、図２に示すように組立は完了する。竿３の反対側についても同様にエンドピース５を取り付ける。
【００２１】
そして、本体１を天井に固定し、竿３を吊下紐２で吊り下げ、操作紐４を上下動操作することによって、吊下紐２・２を上下して竿３を昇降して使用する。
【００２２】
移動具６の操作部２２をドライバーで回動すると、移動具６は回動しながら進退するが、取付具７は回動はせずに移動具６と一緒に進退し、竿３から導出される吊下紐２の長さが変更され、竿３を水平に調整することができる。
【００２３】
使用中に、竿３に過度の荷重がかかると、図６（Ａ）（Ｂ）に示すように、ばね９に抗して受具８が後退し、表示窓１８・１８から警告部２５・２５が露出し、荷重がかかりすぎていることを使用者に警告するようになっている。この警告する荷重は、取付具７の調整位置に拘わらず、つまり図２に示すように移動具６及び取付具７が前端部にある状態でも、図９に示すように移動具６及び取付具７が後端部ある状態でも同じである。
【００２４】
つまり、移動具６及び取付具７を進退させて吊下紐２の長さを調整しても、移動具６及び取付具７が受具８の中で移動しているだけで受具８は動かず、その受具８が警告部２５・２５を変化させて警告するので、警告する荷重には変化がない。なお、竿３に物を掛ける時、瞬間的にその衝撃でその物の重さ以上の荷重がかかることがあるが、その瞬間の大きな荷重をばね９の緩衝作用で軽減することができるようになっている。
【００２５】
上記の警告にも拘わらずさらに荷重をかけてしまった場合でも、天井あるいは本装置の他の高価な部品を壊すことを避けるために、取付具７が壊れるようになっている。そして取付具７が壊れると、吊下紐２が取付具７から外れ竿３が落下するが、図７に示すように、吊下紐２が竿３の導出孔３１から少し繰り出されて、吊下紐２の結び目によって孔カバー１４が外れ、減速具１０が通過孔１２に引っ掛かり、吊下紐２の余長部３３が減速具１０を抵抗を持って通過して繰り出され竿３が減速されてゆっくりと落下していく。なお、竿３に一定以上の荷重がかかると、吊下紐２が取付具７から外れる構造になっていれば、本実施例のように取付具７が壊れなくてもよい。
【００２６】
最終的には、図８に示すように吊下紐２が減速具１０から外れ、竿３は急激に落下するが、その時は、床面に近くなっているので、大きな危険はない。
【００２７】
なお、減速具１０の先に余らせてある吊下紐２の余長部３３の長さをもっと長くして、竿３が床面まであるいは床面近くにまで達するようにすれば、コストは高くなるがより安全になる。コストと安全性を考慮すると前述のように、吊下紐２の余長部３３の長さは、５０センチメートルから１００センチメートル程度が適当であるが、３０センチメートルから２００センチメートル程度の範囲内であれば本発明の目的を達することができるものであり、要するに、取付具７が壊れて吊下紐２が取付具７から外れても竿３が即座に急激に落下を始めることがなく、吊下紐２の余長部３３の長さの分だけ減速されてゆっくりと落下すればよいものである。
【００２８】
また、取付具７が壊れた後は、抜止突起２０を押し込んで、エンドピース５を取り外し、壊れた取付具７をスペア取付具１３に取り換えて、上記と同様に再度組み立てれば修復することができる。
【００２９】
本実施例においては、竿３に過度の荷重がかかっていることを、まず使用者に表示して警告するように構成し、その後、万が一さらにより大きな荷重がかかった時でも、本発明のように、取付具７が壊れて吊下紐２が取付具７から外れ竿３が減速されてゆっくりと落下するようにすれば、天井が壊れるという最悪の事態を２段階で防止できると共に、竿３が洗濯物等と共に高いところから急激に落下する危険を回避することができるという効果がある。
【符号の説明】
【００３０】
２    吊下紐
５    エンドピース
７    取付具
１０    減速具
３３    余長部
【図１】
2011083402.tif 000003
【図２】
2011083402.tif 000004
【図３】
2011083402.tif 000005
【図４】
2011083402.tif 000006
【図５】
2011083402.tif 000007
【図６】
2011083402.tif 000008
【図７】
2011083402.tif 000009
【図８】
2011083402.tif 000010
【図９】
2011083402.tif 000011